(57)【要約】【課題】ユーザが歩行中等の状態においてユーザの携帯電話機の操作を簡易に抑制することが可能な携帯端末を提供する。【解決手段】携帯端末は、表示装置と、ユーザの移動情報を取得する移動情報取得手段と、移動情報取得手段からの移動情報によってユーザが歩行しているか否か判断する歩行判断手段と、歩行判断手段によってユーザが歩行していないと判断された場合、操作に従う表示装置の点灯期間を継続し、ユーザが歩行していると判断した場合には操作に従う表示装置の点灯期間を継続しない表示制御手段とを備える。【選択図】図２
2014060481.tif 000002
【特許請求の範囲】
【請求項１】
表示装置と、
ユーザの移動情報を取得する移動情報取得手段と、
前記移動情報取得手段からの移動情報によって前記ユーザが歩行しているか否か判断する歩行判断手段と、
前記歩行判断手段によって前記ユーザが歩行していないと判断された場合、操作に従う前記表示装置の点灯期間を継続し、前記ユーザが歩行していると判断した場合には操作に従う前記表示装置の点灯期間を継続しない表示制御手段とを備える、携帯端末。
【請求項２】
前記移動情報取得手段は、前記携帯端末の位置情報を取得し、
前記歩行判断手段は、前記携帯端末の位置情報に基づいて前記携帯端末の移動速度を算出し、移動速度が第１の範囲内か否かに基づいて前記ユーザが歩行しているか否かを判断する、請求項１記載の携帯端末。
【請求項３】
前記表示制御手段は、前記歩行判断手段によって前記ユーザが歩行していないと判断された場合、算出された移動速度が第２の範囲内である場合には操作に従う前記表示装置の点灯期間を継続しない、請求項２記載の携帯端末。
【請求項４】
前記移動情報取得手段は、前記ユーザの歩数情報を取得し、
前記歩行判断手段は、前記ユーザの歩数情報が所定値以上であるか否かに基づいて前記ユーザが歩行しているか否かを判断する、請求項１記載の携帯端末。
【請求項５】
ユーザの移動に伴う所定の動きを検出するためのセンサをさらに備え、
前記表示制御手段は、前記歩行判断手段によって前記ユーザが歩行していないと判断された場合、前記センサにより前記ユーザの移動に伴う所定の動きが検出された場合には操作に従う前記表示装置の点灯期間を継続しない、請求項１記載の携帯端末。
【発明の詳細な説明】
【技術分野】
【０００１】
この発明は、携帯端末に関し、特にユーザの歩行中における動作状態の制御に関する。
【背景技術】
【０００２】
近年、無線通信で通話やメールの送受信あるいはコンテンツの再生を行う携帯電話機等は、多機能化が進み、その使用における利便性が向上している。このような携帯電話機を所持するユーザが、歩きながらメールの操作等をすることも考えられる。特に、操作に集中しているユーザは、前方を確認することなく操作していた場合には、歩行者に衝突したり、あるいは段差を踏み外す等、非常に危険である。
【０００３】
この点で、特許文献１においては、歩行中や運転中には携帯電話機を動作させない方式が開示されている。
【０００４】
また、特許文献２においても車を運転する際には携帯電話機の操作を無効にする方式が開示されている。
【先行技術文献】
【特許文献】
【０００５】
【特許文献１】特開２００６−１０９０３３号公報
【特許文献２】特開２００８−５３９８８号公報
【発明の概要】
【発明が解決しようとする課題】
【０００６】
しかしながら、特許文献１の方式は、ユーザが歩行安全モードに設定する必要が有り、当該操作をユーザに強いることになり操作が面倒である。また、特許文献２の方式においても、エンジン音に従って操作を拒否するか否かをユーザに確認する機能が設けられており、当該確認に従ってユーザが応答する必要があるため操作が面倒であるという問題がある。
【０００７】
本発明は、上記の問題を解決するためになされたものであって、ユーザが歩行中等の状態においてユーザの携帯電話機の操作を簡易に抑制することが可能な携帯端末を提供することを目的とする。
【課題を解決するための手段】
【０００８】
本発明のある局面に従う携帯端末は、表示装置と、ユーザの移動情報を取得する移動情報取得手段と、移動情報取得手段からの移動情報によってユーザが歩行しているか否か判断する歩行判断手段と、歩行判断手段によってユーザが歩行していないと判断された場合、操作に従う表示装置の点灯期間を継続し、ユーザが歩行していると判断した場合には操作に従う表示装置の点灯期間を継続しない表示制御手段とを備える。
【０００９】
好ましくは、移動情報取得手段は、前記携帯端末の位置情報を取得し、歩行判断手段は、前記携帯端末の位置情報に基づいて前記携帯端末の移動速度を算出し、移動速度が第１の範囲内か否かに基づいて前記ユーザが歩行しているか否かを判断する。
【００１０】
特に、表示制御手段は、前記歩行判断手段によって前記ユーザが歩行していないと判断された場合、算出された移動速度が第２の範囲内である場合には操作に従う前記表示装置の点灯期間を継続しない。
【００１１】
好ましくは、移動情報取得手段は、前記ユーザの歩数情報を取得し、歩行判断手段は、前記ユーザの歩数情報が所定値以上であるか否かに基づいて前記ユーザが歩行しているか否かを判断する。
【００１２】
好ましくは、ユーザの移動に伴う所定の動きを検出するためのセンサをさらに備え、表示制御手段は、前記歩行判断手段によって前記ユーザが歩行していないと判断された場合、前記センサにより前記ユーザの移動に伴う所定の動きが検出された場合には操作に従う前記表示装置の点灯期間を継続しない。
【発明の効果】
【００１３】
ユーザが歩行中等の状態においてユーザの携帯電話機の操作を簡易に抑制することが可能である。
【図面の簡単な説明】
【００１４】
【図１】本実施の形態１に従う携帯電話機１の外観構成図である。
【図２】一実施の形態による携帯電話機１のハードウェア構成の一例を示すブロック図である。
【図３】本発明の実施の形態１に従う移動状態判断処理について説明するフロー図である。
【図４】本発明の実施の形態１に従うユーザの移動状態を判断するテーブルを説明する図である。
【図５】本発明の実施の形態１に従う表示制御を説明するフロー図である。
【図６】本発明の実施の形態２に従う移動状態判断処理について説明するフロー図である。
【図７】本発明の実施の形態２に従う移動状態を判断するテーブルを説明する図である。
【図８】本発明の実施の形態２に従うユーザの移動状態を判断するテーブルを説明する図である。
【図９】本発明の実施の形態３に従う表示制御を説明するフロー図である。
【図１０】本発明の実施の形態３に従う移動状態判断処理について説明するフロー図である。
【図１１】本発明の実施の形態４に従う表示制御を説明するフロー図である。
【発明を実施するための形態】
【００１５】
以下、実施の形態について図面を参照して詳しく説明する。以下の説明では、表示機能を備えたスマートフォンなどの携帯電話機（端末装置）を用いた例について説明する。
【００１６】
（実施の形態１）
［携帯電話機の外観構成］
図１は、本実施の形態１に従う携帯電話機１の外観構成図である。
【００１７】
図１を参照して、携帯電話機１は、筐体を備える。この筐体の一方の正面には、タッチパネルが大部分を占めて構成される。
【００１８】
タッチパネルは、表示部を覆うようにして設けられ、接触動作を検出する。表示部は、例えばＬＣＤ（Ｌｉｑｕｉｄ Ｃｒｙｓｔａｌ Ｄｉｓｐｌａｙ）、有機ＥＬ（ＥｌｅｃｔｒｏＬｕｍｉｎｅｓｃｅｎｃｅ）ディスプレイ、無機ＥＬディスプレイで構成される。
【００１９】
タッチパネルは、操作面に対して接触する接触物の動作を検出することにより指示を受け付ける。接触物としては、例えばユーザの指やスタイラスペンなどが該当する。タッチパネル上で接触物の動作を検知する方法には、圧力の変化を感知する感圧式、静電気による電気信号を感知する静電式、その他の方法を適用することができる。接触物の動作は、接触が行われた位置を示す座標の情報で検出される。この情報は、例えばタッチパネルの短辺方向および長手方向の二軸上の座標値で表わされる。
【００２０】
［携帯電話機の全体構成］
図２は、一実施の形態による携帯電話機１のハードウェア構成の一例を示すブロック図である。
【００２１】
図２を参照して、携帯電話機１は、ＣＰＵ２（中央処理装置（ＣＰＵ：Central  Processing  Unit））、記憶部１０、通信部６、入力部９、液晶表示部８、ＧＰＳ受信部１２、歩数計３、音声信号処理回路１１、マイク１３、スピーカ１５、計時部１７などを含む。
【００２２】
ＣＰＵ２は、記憶部１０に格納されたプログラムを実行することによって、携帯電話機１の全体の動作を制御する。具体的には、ＣＰＵ２は、液晶表示部８を制御する表示制御部１４、通信部６および音声信号処理回路１１等を制御して通話機能を実現するためのメイン通信制御部１６、各種の演算処理を実行する実行部１８、記憶部１０に対するデータの書き込み／読み出し等を制御する記録制御部２０等を含む。
【００２３】
記憶部１０は、たとえば、フラッシュメモリなどのＥＥＰＲＯＭ（Electrically  Erasable  Programmable  Read-Only  Memory）によって構成される。不揮発性メモリに代えてハードディスクを設けてもよい。
【００２４】
通信部６は、ＣＰＵ２の指令に基づいて、アンテナ７を介して無線基地局との間で音声信号およびデータ信号の無線通信を行なう。
【００２５】
液晶表示部８は、液晶表示パネルなどによって構成され、ＣＰＵ２の指令に基づいて文字情報および画像を表示する。なお、液晶表示部８には、バックライト２１を含む。
【００２６】
入力部９は、ユーザが携帯電話機１に数字および文字などの入力操作を行なうためのハードウェアキーを含む。もしくは、携帯電話機１がスマートフォンなどの場合には、入力部９は、液晶表示部８と一体化されたタッチパネルを含むように構成されていてもよい。この場合、ユーザは入力操作の大部分をタッチパネルを介して行なうので、ハードウェアキーとして、電源キーおよび音量キーなどの少数のキーのみが設けられ、数字および文字用のキーは設けられていなくてもよい。
【００２７】
ＧＰＳ受信部１２は、アンテナ１９を介してＧＰＳ衛星からの電波を受信するＲＦＩＣ（Radio  Frequency  Integrated  Circuit）を含む。ＧＰＳ衛星からの電波は、衛星ごとに固有のＣ／Ａコード（擬似ランダム符号の一種）と航法メッセージデータ（衛星の位置情報およびその発行時刻の情報を含む）とによって搬送波が変調されたものである。ＧＰＳ受信部１２は、ＧＰＳ衛星からの電波を増幅してからダウンコンバートする。ＧＰＳ受信部１２は、ダウンコンバート後の信号をＡ／Ｄ変換することによって得られるベースバンド信号（Ｃ／Ａコードおよび航法メッセージデータ）を出力する。
【００２８】
歩数計３は、ユーザが移動した場合の歩数情報を取得する。具体的には、歩数計３は、加速度センサ４と、カウンタ５とを含む。加速度センサ４に従ってユーザの上下方向の動きが検知され、加速度センサ４の検知信号をカウンタ５が受けて、カウンタ５で歩数としてカウントアップする。
【００２９】
計時部１７は、時間を計測する。
なお、音声信号処理回路１１は、マイク１３で検出した音声信号をＡＤ（Analog-to-Digital）変換し、変換後のデジタル音声信号に対して符号化およびノイズ除去などの信号処理を行なう。音声信号処理回路１１は、さらに、音響出力すべきデジタル信号に対して所定の信号処理を行なってスピーカ１５に出力する。なお、図１の場合と異なり、音声信号処理回路１１を設けずに、音声信号処理回路１１の機能をプログラムに基づいてＣＰＵ２が実行するようにしてもよい。
【００３０】
図３は、本発明の実施の形態１に従う移動状態判断処理について説明するフロー図である。当該処理は、主に記憶部１０に格納されているプログラムに基づいてＣＰＵ２が各部と協働して実行する処理である。
【００３１】
図３を参照して、まず、ＣＰＵ２は、位置を取得する（ステップＳ２）。具体的には、実行部１８は、ＧＰＳ受信部１２に指示して携帯電話機１の位置を取得する。
【００３２】
次に、ＣＰＵ２は、所定期間経過したかどうかを判断する（ステップＳ４）。実行部１８は、計時部１７を用いて所定期間が経過したかどうかを判断する。所定期間として１分間とすることも可能である。なお、当該期間は一例であり適切な値に任意に調整することが可能である。
【００３３】
ステップＳ４において、ＣＰＵ２は、所定期間が経過したと判断した場合（ステップＳ４においてＹＥＳ）には、次のステップに進む。一方、ステップＳ４において、所定期間が経過していないと判断した場合（ステップＳ４においてＮＯ）には、経過するまで待機する。
【００３４】
そして、ＣＰＵ２は、位置を取得する（ステップＳ６）。具体的には、実行部１８は、ＧＰＳ受信部１２に指示して携帯電話機１の位置を取得する。
【００３５】
そして、ＣＰＵ２は、移動速度を計算する（ステップＳ８）。具体的には、実行部１８は、ステップＳ２で取得した位置情報と、ステップＳ６で取得した位置情報とに基づいて移動速度を計算する。
【００３６】
次に、ＣＰＵ２は、状態を分析する（ステップＳ１０）。具体的には、実行部１８は、算出した移動速度に基づいて移動状態を判断するテーブルに従って携帯電話機１の状態を分析する。当該テーブルは、記憶部１０に予め格納されているものとする。
【００３７】
次に、ＣＰＵ２は、状態を更新する（ステップＳ１２）。記録制御部２０は、分析された携帯電話機１の状態を記憶部１０に格納する。なお、既に、記憶部１０に当該状態のデータが格納されている場合には更新するものとする。
【００３８】
そして、再び、ステップＳ４に戻る。そして、所定期間が経過したかどうかを判断し、所定期間が経過したと判断した場合には、位置を再取得して移動速度を再度算出する上記処理を繰り返す。
【００３９】
したがって、所定期間経過毎に携帯電話機１の移動状態が判断されて記憶部１０に格納される。
【００４０】
図４は、本発明の実施の形態１に従うユーザの移動状態を判断するテーブルを説明する図である。当該テーブルは、記憶部１０に格納されているものである。
【００４１】
図４を参照して、時速とユーザの移動状態との対応関係が示されている。
当該テーブルに基づいて算出した移動速度が時速３ｋｍ／時未満の場合にはユーザの状態として停止状態と判断される。停止状態とは携帯電話機１が完全に停止している場合のみならず、家等の一定範囲内でユーザが動きながら使用している場合等、停止しているに等しい状態も含む概念である。
【００４２】
算出した移動速度が時速３〜６ｋｍ／時未満（第１の範囲内）の場合にはユーザの状態として歩行状態と判断される。
【００４３】
算出した移動速度が時速６ｋｍ／時以上の場合にはユーザの状態として乗り物に乗車している乗車状態と判断される。
【００４４】
図５は、本発明の実施の形態１に従う表示制御を説明するフロー図である。当該処理は、主に記憶部１０に格納されているプログラムに基づいてＣＰＵ２が各部と協働して実行する処理である。
【００４５】
図５を参照して、ＣＰＵ２は、ユーザからの操作が有るかどうかを判断する（ステップＳ２０）。具体的には、ユーザの入力部９を介する操作指示があったかどうかを判断する。
【００４６】
ステップＳ２０において、ＣＰＵ２は、操作が有ると判断した場合（ステップＳ２０においてＹＥＳ）には、点灯制御を実行する（ステップＳ２２）。具体的には、表示制御部１４は、ユーザの入力部９を介する操作指示が有った場合には、液晶表示部８を制御してバックライト２１を点灯させる点灯制御を実行する。
【００４７】
次に、所定期間が経過したかどうかを判断する（ステップＳ２４）。表示制御部１４は、計時部１７を用いて所定期間が経過したかどうかを判断する。
【００４８】
そして、所定期間が経過したと判断した場合（ステップＳ２４においてＹＥＳ）には、移動状態を確認する（ステップＳ２６）。具体的には、表示制御部１４は、記憶部１０を参照して格納（更新）されたユーザの移動状態を確認する。
【００４９】
次に、移動状態が歩行状態であるかどうかを判断する（ステップＳ２８）。表示制御部１４は、記憶部１０において格納されている移動状態のデータが歩行（３〜６ｋｍ／時未満）であるかどうかを判断する。
【００５０】
ステップＳ２８において、移動状態が歩行状態であると判断した場合（ステップＳ２８においてＹＥＳ）には、消灯制御を実行する（ステップＳ３０）。具体的には、表示制御部１４は、液晶表示部８に指示してバックライト２１を消灯する消灯制御を実行する。
【００５１】
そして、処理を終了する（エンド）。
これにより、ユーザが歩行中の場合には、所定期間経過後にバックライト２１が消灯して液晶表示部８には何も表示されないため液晶表示部８を見て操作することはできなくなる。
【００５２】
一方、ステップＳ２８において、移動状態が歩行状態で無いと判断した場合（ステップＳ２８においてＮＯ）には、点灯継続制御を実行する（ステップＳ２９）。
【００５３】
そして、処理を終了する（エンド）。
すなわち、表示制御部１４は、バックライト２１を消灯する消灯制御ではなく、液晶表示部８におけるバックライト２１の点灯を継続させる点灯継続制御を実行する。例えば、さらに一定期間経過した後に消灯制御等を実行する。あるいは、ユーザの指示が無い場合には液晶表示部８における表示を継続させるようにしても良い。
【００５４】
したがって、実施の形態１においては、ユーザの移動状態を位置情報に基づいて判断して、算出された移動速度に従って歩行状態であると判断した場合には、ユーザの移動状態が安全で無いと判断されるため点灯してから所定期間経過した場合に液晶表示部８のバックライト２１を消灯させる。一方、算出された移動速度に従って歩行状態でないと判断した場合には、ユーザの移動状態が安全であると判断されるため点灯してから所定期間経過した場合においても液晶表示部８のバックライト２１の点灯を継続させる。
【００５５】
これにより、ユーザが歩行中で無い場合には、バックライト２１の点灯状態が継続されて液晶表示部８を見ながら快適に携帯電話機１を操作して各種の機能を実行することが可能である。一方で、歩行中の場合には、バックライト２１の点灯状態が所定期間経過後に消灯状態となるため歩行しながら携帯電話機１を操作することを抑制し、安全に立ち止まって操作することを促すことが可能である。
【００５６】
なお、本実施の形態１に従う携帯電話機１においてはユーザの移動状態を判断するために歩数計３の歩数情報は用いない方式であるため当該歩数計３を設けない構成とすることも可能である。
【００５７】
（実施の形態２）
本実施の形態２に従う携帯電話機１においては、歩数計３を用いてユーザの移動状態を判断する方式について説明する。
【００５８】
図６は、本発明の実施の形態２に従う移動状態判断処理について説明するフロー図である。当該処理は、主に記憶部１０に格納されているプログラムに基づいてＣＰＵ２が各部と協働して実行する処理である。
【００５９】
図６を参照して、まず、ＣＰＵ２は、歩数計３に指示して歩数のカウントを開始する（ステップＳ４０）。実行部１８は、歩数計３に対して歩数のカウントを開始するように指示する。
【００６０】
次に、ＣＰＵ２は、所定期間経過したかどうかを判断する（ステップＳ４２）。実行部１８は、計時部１７を用いて所定期間が経過したかどうかを判断する。所定期間として１分間とすることも可能である。なお、当該期間は一例であり適切な値に任意に調整することが可能である。
【００６１】
ステップＳ４２において、ＣＰＵ２は、所定期間が経過したと判断した場合（ステップＳ４２においてＹＥＳ）には、次のステップに進む。一方、ステップＳ４２において、所定期間が経過していないと判断した場合（ステップＳ４２においてＮＯ）には、ステップＳ４０に戻り、歩数のカウントを継続する。
【００６２】
そして、ＣＰＵ２は、所定期間が経過したと判断した場合（ステップＳ４２においてＹＥＳ）には、歩数のカウント値を取得する（ステップＳ４３）。具体的には、実行部１８は、カウンタ５でカウントしたカウンタ値を取得する。
【００６３】
そして、ＣＰＵ２は、歩数速度を計算する（ステップＳ４４）。具体的には、実行部１８は、ステップＳ４３で取得したカウンタ値に基づいて歩数速度を計算する。ここで、歩数速度とは、単位期間当たりに計測される歩数値とする。
【００６４】
次に、ＣＰＵ２は、状態を分析する（ステップＳ４５）。具体的には、実行部１８は、算出した歩数速度に基づいて移動状態を判断するテーブルに従って携帯電話機１の状態を分析する。当該テーブルは記憶部１０に予め格納されているものとする。
【００６５】
次に、ＣＰＵ２は、状態を更新する（ステップＳ４６）。記録制御部２０は、分析された携帯電話機１の状態を記憶部１０に格納する。なお、既に、記憶部１０に当該状態のデータが格納されている場合には更新するものとする。
【００６６】
そして、再び、ステップＳ４０に戻る。そして、所定期間が経過したかどうかを判断し、所定期間が経過したと判断した場合には、歩数のカウント値を取得して歩数速度を算出する上記処理を繰り返す。なお、この場合、歩数のカウント値をリセットして歩数速度を算出するものとする。
【００６７】
したがって、所定期間経過毎に携帯電話機１の移動状態が判断されて記憶部１０に格納される。
【００６８】
図７は、本発明の実施の形態２に従う移動状態を判断するテーブルを説明する図である。当該テーブルは、記憶部１０に格納されているものである。
【００６９】
図７を参照して、歩数速度とユーザの移動状態との対応関係が示されている。
当該テーブルに基づいて算出した歩数速度が１０歩／分未満の場合にはユーザの状態として停止状態あるいは乗車状態と判断される。
【００７０】
算出した歩数速度が１１歩／分以上の場合にはユーザの状態として歩行状態と判断される。
【００７１】
本発明の実施の形態２に従う表示制御の処理については、図５で説明したのと同様である。すなわち、本実施の形態２においては、ユーザの移動状態を歩数のカウント情報に基づいて判断して、歩行状態であると判断した場合には、ユーザの移動状態が安全で無いと判断されるため点灯してから所定期間経過した場合に液晶表示部８のバックライト２１を消灯させる。一方、歩行状態でないと判断した場合には、ユーザの移動状態が安全であると判断されるため点灯してから所定期間経過した場合においても液晶表示部８のバックライト２１の点灯を継続させる。
【００７２】
これにより、ユーザが歩行中で無い場合には、バックライト２１の点灯状態が継続されて液晶表示部８を見ながら快適に携帯電話機１を操作して各種の機能を実行することが可能である。一方で、歩行中の場合には、バックライト２１の点灯状態が所定期間経過後に消灯状態となるため歩行しながら携帯電話機１を操作することを抑制し、安全に立ち止まって操作することを促すことが可能である。
【００７３】
なお、本実施の形態２に従う携帯電話機１においてはユーザの移動状態を判断するためにＧＰＳ受信部１２による位置情報は用いない方式であるため当該ＧＰＳ受信部１２を設けない構成とすることも可能である。
【００７４】
（実施の形態３）
上記の実施の形態１においては、移動速度が速い場合には、乗り物に乗っている乗車状態であると判断した。一方で、自転車等の乗り物の場合にも乗車状態と判断されて、ユーザの移動状態が安全であると判断される可能性もあるため当該場合を排除する必要がある。
【００７５】
図８は、本発明の実施の形態２に従うユーザの移動状態を判断するテーブルを説明する図である。当該テーブルは、記憶部１０に格納されているものである。
【００７６】
図８を参照して、時速とユーザの移動状態との対応関係が示されている。
当該テーブルに基づいて算出した移動速度が時速３ｋｍ／時未満の場合にはユーザの状態として停止状態と判断される。
【００７７】
算出した移動速度が時速３〜６ｋｍ／時未満（第１の範囲内）の場合にはユーザの状態として歩行状態と判断される。
【００７８】
算出した移動速度が時速６〜３０ｋｍ／時未満の場合（第２の範囲内）にはユーザの状態として乗り物に乗車している乗車状態と判断される。その乗り物としては自転車であると判断される。
【００７９】
算出した移動速度が時速３０ｋｍ／時以上の場合にはユーザの状態として乗り物に乗車している乗車状態と判断される。その乗り物としては車、電車であると判断される。
【００８０】
そして、当該図８のテーブルに従ってユーザの移動状態を判断する。当該処理については、図３で説明したのと同様であるのでその詳細な説明については繰り返さない。
【００８１】
図９は、本発明の実施の形態３に従う表示制御を説明するフロー図である。当該処理は、主に記憶部１０に格納されているプログラムに基づいてＣＰＵ２が各部と協働して実行する処理である。
【００８２】
図９を参照して、図５の処理と比較して、ステップＳ３２を追加した点が異なる。
具体的には、ステップＳ２８において、移動状態が歩行状態で無いと判断した場合（ステップＳ２８においてＮＯ）には、乗車（自転車）かどうかを判断する（ステップＳ３２）。
【００８３】
ステップＳ３２において、乗車（自転車）であると判断した場合（ステップＳ３２においてＹＥＳ）には、消灯制御を実行する（ステップＳ３０）。表示制御部１４は、液晶表示部８に指示してバックライト２１を消灯する制御を実行するように指示する。
【００８４】
そして、処理を終了する（エンド）。
一方、ステップＳ３２において、乗車（自転車）でないと判断した場合（ステップＳ３２においてＮＯ）には、点灯継続制御を実行する（ステップＳ２９）。
【００８５】
そして、処理を終了する（エンド）。他の処理については、図５で説明したのと同様であるのでその詳細な説明は繰り返さない。
【００８６】
したがって、本実施の形態３においては、ユーザの移動状態を位置情報に基づいて判断して、歩行状態であると判断した場合には、ユーザの移動状態が安全で無いと判断されるため点灯してから所定期間経過した場合に液晶表示部８のバックライト２１を消灯させる。一方、歩行状態でないと判断した場合に、実施の形態１においては、ユーザの移動状態が安全であると判断して点灯してから所定期間経過した場合においても液晶表示部８のバックライト２１の点灯を継続させる場合について説明したが、ユーザが自転車等に乗車している場合には安全で無い。本実施の形態３においては、歩行状態で無い場合に、さらに、乗車（自転車）状態であるかどうかを判断して、ユーザの移動状態が、乗車（自転車）状態であると判断した場合には、ユーザの移動状態が安全で無いと判断されるため点灯してから所定期間経過した場合に液晶表示部８のバックライト２１を消灯させる。
【００８７】
当該処理により、ユーザが歩行中でない例えば自転車に乗車しているような場合には、バックライト２１の点灯状態が所定期間経過後に消灯状態となるため自転車に乗車しながら携帯電話機１を操作することを抑制し、安全に停止して操作することを促すことが可能である。
【００８８】
（実施の形態４）
上記の実施の形態３においては、乗車（自転車）状態の判断として移動速度により判別する方式について説明したが、本実施の形態４においては別の方式に従ってユーザの移動状態として乗車（自転車）状態を判別する方式について説明する。
【００８９】
本実施の形態４における加速度センサ４は、ユーザの所定の動きを判定するために用いられる。具体的には、加速度センサ４は、３軸加速度センサであるものとする。当該３軸加速度センサによりユーザの進行方向に対する左右の揺れを計測することが可能である。
【００９０】
本例においては、当該加速度センサ４を用いてユーザが自転車を操作する際のペダルを漕ぐ動きに伴い生じる、左右の揺れを検知して当該検知結果に基づいてユーザの移動状態を判断する。
【００９１】
図１０は、本発明の実施の形態３に従う移動状態判断処理について説明するフロー図である。当該処理は、主に記憶部１０に格納されているプログラムに基づいてＣＰＵ２が各部と協働して実行する処理である。
【００９２】
図１０を参照して、まず、ＣＰＵ２は、位置を取得する（ステップＳ２）。具体的には、実行部１８は、ＧＰＳ受信部１２に指示して携帯電話機１の位置を取得する。
【００９３】
次に、ＣＰＵ２は、加速度センサ４に指示して計測を開始する（ステップＳ３）。具体的には、実行部１８は、加速度センサ４による計測の開始を指示し、加速度センサ４の検出信号を受け付けて、記録制御部２０は、記憶部１０に加速度センサ４における計測結果を格納するものとする。
【００９４】
次に、ＣＰＵ２は、所定期間経過したかどうかを判断する（ステップＳ４）。実行部１８は、計時部１７を用いて所定期間が経過したかどうかを判断する。所定期間として１分間とすることも可能である。なお、当該期間は一例であり適切な値に任意に調整することが可能である。
【００９５】
ステップＳ４において、ＣＰＵ２は、所定期間が経過したと判断した場合（ステップＳ４においてＹＥＳ）には、加速度センサ４に指示して計測を終了する（ステップＳ５）。
【００９６】
一方、ステップＳ４において、所定期間が経過していないと判断した場合（ステップＳ４においてＮＯ）には、ステップＳ３に戻り、加速度センサ４における計測を継続する。
【００９７】
そして、次に、ＣＰＵ２は、位置を取得する（ステップＳ６）。具体的には、実行部１８は、ＧＰＳ受信部１２に指示して携帯電話機１の位置を取得する。
【００９８】
そして、ＣＰＵ２は、移動速度を計算する（ステップＳ８）。具体的には、実行部１８は、ステップＳ２で取得した位置情報と、ステップＳ６で取得した位置情報とに基づいて移動速度を計算する。
【００９９】
次に、ＣＰＵ２は、状態を分析する（ステップＳ１０）。具体的には、実行部１８は、算出した移動速度に基づいて移動状態を判断する図４のテーブルに従って携帯電話機１の状態を分析する。当該テーブルは、記憶部１０に予め格納されているものとする。
【０１００】
次に、ＣＰＵ２は、記憶部１０に格納されている加速度センサ４における計測結果に基づいて所定の動きが検出されるかどうかの判定を実行する（ステップＳ１１）。具体的には、実行部１８は、記憶部１０に格納されている加速度センサ４の計測結果のデータを分析して所定期間における進行方向に対する左右の揺れが所定回数以上発生しているかどうかを判断する。すなわち、左右の揺れが所定回数以上発生している場合には、ユーザが自転車を操作する際のペダルを漕ぐ動きをしたと判断することが可能である。当該左右の揺れが所定回数以上発生している場合には、所定の動きが検出されたと判定する。一方で、例えば、自転車に乗車しているのではなく、車や電車に乗車している場合には、所定期間における左右の揺れは所定回数未満であり、所定の動きは検出されないと判定される。
【０１０１】
次に、ＣＰＵ２は、状態を更新する（ステップＳ１２）。記録制御部２０は、分析された携帯電話機１の状態と、加速度センサ４における計測結果に基づく所定の動きの判定結果とを関連付けて記憶部１０に格納する。具体的には、所定の動きに対応する所定のフラグを設けて、当該フラグをＯＮ／ＯＦＦすることにより所定の動きの有無を判断するようにしても良い。なお、既に、記憶部１０に当該状態のデータが格納されている場合には更新するものとする。
【０１０２】
そして、再び、ステップＳ３に戻る。そして、所定期間が経過したかどうかを判断し、所定期間が経過したと判断した場合には、位置を取得して移動速度を算出するとともに、加速度センサ４の計測結果に基づく所定の動きの判定を実行する上記処理を繰り返す。なお、ステップＳ３に戻った際には加速度センサ４における計測結果はリセットされるものとする。
【０１０３】
したがって、所定期間経過毎に携帯電話機１の移動状態が判断されて記憶部１０に格納される。
【０１０４】
図１１は、本発明の実施の形態４に従う表示制御を説明するフロー図である。当該処理は、主に記憶部１０に格納されているプログラムに基づいてＣＰＵ２が各部と協働して実行する処理である。
【０１０５】
図１１を参照して、図５の処理と比較して、ステップＳ３４を追加した点が異なる。
具体的には、ステップＳ２８において、移動状態が歩行状態で無いと判断した場合（ステップＳ２８においてＮＯ）には、所定の動きが有ったかどうかを判断する（ステップＳ３４）。具体的には、例えば、所定の動きに対応する所定のフラグを確認して例えばフラグがＯＮであれば所定の動きが有ったと判断することが可能である。
【０１０６】
ステップＳ３４において、所定の動きが有ったと判断した場合（ステップＳ３４においてＹＥＳ）には、消灯制御を実行する（ステップＳ３０）。表示制御部１４は、液晶表示部８に指示してバックライト２１を消灯する制御を実行するように指示する。
【０１０７】
そして、処理を終了する（エンド）。
一方、ステップＳ３４において、所定の動きが無かったと判断した場合（ステップＳ３４においてＮＯ）には、点灯継続制御を実行する（ステップＳ２９）。
【０１０８】
そして、処理を終了する（エンド）。他の処理については、図５で説明したのと同様であるのでその詳細な説明は繰り返さない。
【０１０９】
したがって、本実施の形態４においては、ユーザの移動状態を位置情報に基づいて判断して、歩行状態であると判断した場合には、ユーザの移動状態が安全で無いと判断されるため点灯してから所定期間経過した場合に液晶表示部８のバックライト２１を消灯させる。一方、歩行状態でないと判断した場合に、実施の形態１においては、ユーザの移動状態が安全であると判断して点灯してから所定期間経過した場合においても液晶表示部８のバックライト２１の点灯を継続させる場合について説明したが、ユーザが自転車等に乗車している場合には安全で無い。本実施の形態４においては、歩行状態で無い場合に、さらに、乗車（自転車）状態の場合に生じる所定の動きが検出されるかどうかを判定して、当該判定に従ってユーザの移動状態が、乗車（自転車）状態であると判断した場合には、ユーザの移動状態が安全で無いと判断されるため点灯してから所定期間経過した場合に液晶表示部８のバックライト２１を消灯させる。
【０１１０】
当該処理により、ユーザが歩行中でない例えば自転車に乗車しているような場合には、バックライト２１の点灯状態が所定期間経過後に消灯状態となるため自転車に乗車しながら携帯電話機１を操作することを抑制し、安全に停止して操作することを促すことが可能である。
【０１１１】
なお、本例においては、歩数計３に設けられている加速度センサ４を用いる方式について説明するが、特に当該加速度センサに限らず、別の加速度センサを設けて当該別の加速度センサを用いるようにしても良い。
【０１１２】
また、本例においては、３軸加速度センサを用いてユーザの所定の動きを検出する方式について説明したが、特に３軸加速度センサに限られず、当該動きを検出可能であればどのようなセンサを用いても良い。
【０１１３】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１１４】
１  携帯電話機、２  ＣＰＵ、３  歩数計、４  加速度センサ、５  カウンタ、６  通信部、７，１９  アンテナ、８  液晶表示部、９  入力部、１０  記憶部、１１  音声信号処理回路、１２  受信部、１３  マイク、１４  表示制御部、１５  スピーカ、１６  メイン通信制御部、１７  計時部、１８  実行部、２０  記録制御部、２１  バックライト。
【図１】
2014060481.tif 000003
【図２】
2014060481.tif 000004
【図３】
2014060481.tif 000005
【図４】
2014060481.tif 000006
【図５】
2014060481.tif 000007
【図６】
2014060481.tif 000008
【図７】
2014060481.tif 000009
【図８】
2014060481.tif 000010
【図９】
2014060481.tif 000011
【図１０】
2014060481.tif 000012
【図１１】
2014060481.tif 000013